(57)【要約】【課題】定格出力と同程度の負荷値の負荷に発電電力を供給しても、発電機が急速に停止することを防止することができる発電機からの発電電力供給方法を提供すること。【解決手段】  発電機２と負荷装置３とを接続して発電機２の発電電力を負荷装置３に供給し、この負荷装置３の負荷値を次第に大きくすることで発電機２の発電出力を徐々に上昇させしめ、この発電出力が実負荷１０へ電力供給可能となる出力に達したとき、負荷装置３から実負荷１０へと送電先を切り替えて発電機２の発電電力を１０実負荷に供給する。【選択図】  図１
2006166551.tif 000002
【特許請求の範囲】
【請求項１】
発電機と負荷装置とを接続して前記発電機の発電電力を前記負荷装置に供給し、該負荷装置の負荷値を次第に大きくすることで前記発電機の発電出力を徐々に上昇させしめ、この発電出力が実負荷へ電力供給可能となる出力に達したとき、前記負荷装置から前記実負荷へと送電先を切り替えて前記発電機の発電電力を前記実負荷に供給することを特徴とする発電機からの発電電力供給方法。
【請求項２】
発電機と、該発電機が発電する発電電力を供給可能な負荷装置と、該負荷装置を制御して負荷値を適宜変更させる制御部と、前記負荷装置と実負荷とを切り替えて前記発電機に接続させる回路切替手段とを備え、
前記制御部は、前記発電機の発電出力が前記実負荷へ電力供給可能となる出力に達したときに前記回路切替手段を制御して前記発電機の送電先を変更することを特徴とする発電機からの発電電力供給装置。
【発明の詳細な説明】
【技術分野】
【０００１】
本発明は、発電機の定格出力と同程度の負荷値の負荷に発電電力を供給することができる発電機からの発電電力供給方法及びその装置に関する発明である。
【背景技術】
【０００２】
一般に発電機の発電出力は、原動機の回転速度をガバナー（調速機）で検知し、燃料供給量を調節して原動機の回転速度を変化させることによって制御されている（例えば、特許文献１参照）。
【０００３】
一方、発電機には定格出力が決まっており、発電機はこの定格出力と同程度の発電出力で長時間発電することが可能となっている。
【特許文献１】特開２００１−０２８９００号公報
【発明の開示】
【発明が解決しようとする課題】
【０００４】
ところで、上述の発電機においては、負荷に発電電力を供給することによって急激に発電機にかかる負荷が増加すると、発電機の発電出力がこの負荷の増加に追従できないということが生じていた。そしてこのため、発電機を駆動する原動機の回転速度が低下し、急速に停止することがあった。これを負荷投入失敗という。
【０００５】
そして、この負荷投入失敗は、ガバナーの燃料供給量の増加速度が遅れたり、発電機内の燃焼室温度の上昇が遅れたり、過給機付き発電機の過給機による給気圧力の増加速度が遅れたりすること等によって引き起こされていた。
【０００６】
しかも、定格出力と同程度の負荷値の負荷に発電電力を供給すると、ほぼ確実に負荷投入失敗が生じていた。
【０００７】
そのため、従来の発電機では、定格出力の約７０％程度の負荷値の負荷にしか電力供給できないという問題が生じていた。
【０００８】
さらに、これにより、負荷に実際に供給する電力よりも大きな電力を供給することができる発電機を使用しなければならないという問題も生じていた。
【０００９】
そこで、この発明は、定格出力と同程度の負荷値の負荷に発電電力を供給しても、発電機が急速に停止することを防止することができる発電機からの発電電力供給方法及びその装置を提供することを課題としている。
【課題を解決するための手段】
【００１０】
上記課題を解決するために、この発明は、発電機と負荷装置とを接続して前記発電機の発電電力を前記負荷装置に供給し、該負荷装置の負荷値を次第に大きくすることで前記発電機の発電出力を徐々に上昇させしめ、この発電出力が実負荷へ電力供給可能となる出力に達したとき、前記負荷装置から前記実負荷へと送電先を切り替えて前記発電機の発電電力を前記実負荷に供給することを特徴としている。
【発明の効果】
【００１１】
この発明によれば、次第に負荷値が大きくなる負荷装置に発電機の発電電力を供給することにより、この発電機の発電電力を徐々に上昇させることができる。そして、徐々に上昇させた発電電力が実負荷へ電力供給可能となる出力に達したときに実負荷へと送電するので、実負荷に発電電力を供給する際に生じる発電出力の急激な上昇を抑制することができる。
【００１２】
これにより、原動機の回転速度が瞬間的に大きく低下することを防止し、定格出力と同程度の負荷に発電電力を供給しても、発電機が急速に停止することを防止することができる。
【発明を実施するための最良の形態】
【００１３】
次に、図面に基づいて、この発明を実施するための最良の実施の形態の発電機からの発電電力供給方法及びその装置を説明する。
【００１４】
図１に記載の発電電力供給装置（以下、発電装置という）１は、発電機２と、負荷装置３と、遮断機４と、切替器（回路切替手段）５と、制御部６とを備えている。
【００１５】
また、実負荷１０は、発電装置１に適宜接続されて電力を供給される負荷であり、例えばモータや電球等である。この実負荷１０は、発電装置１に設けられた実負荷接続ポート１ａを介して接続されている。なお、実負荷１０の負荷値（以下、実負荷値という）は、ここでは、発電機２の定格出力とほぼ同程度となっている。
【００１６】
発電機２は、図示しない原動機、燃焼室、ガバナー、過給機等を有しており、駆動スイッチ２ａをＯＮすると原動機が回転駆動して発電するようになっている。
【００１７】
なお、この発電機２はガソリン等の燃料を燃焼室内で燃焼して原動機を回転させ、その動力によって駆動されるものである。また、ガバナーは原動機の回転速度を検知して燃料室への燃料供給量を調節するものであり、過給機は燃焼室へ吹き込む空気を圧縮して原動機出力の増加を図るものである。
【００１８】
そして、この発電機２では、図２に示すように、負荷に発電電力を供給する場合、供給開始とほぼ同時に発電出力は安定するが、発電周波数は一定時間（図２におけるＴ）変動するようになっている。なお、以下、この発電周波数の変動が十分小さくなって定格電圧を発生できるようになるまでの一定時間Ｔを変動収束時間という。
【００１９】
負荷装置３は、任意の負荷値を設定可能であると共に、発電機２が発電する発電電力を吸収することができるものである。この負荷装置３は、例えば、ニクロム線の接続本数を変更して負荷値を変更するヒーターや、電極を水槽内で上下動させて浸水面積を変動させることにより負荷値を変更する水抵抗器である。
【００２０】
遮断機４は、閉じたときに発電機２から供給される発電電力を負荷装置３や実負荷１０へ送電し、開いたときに送電を停止するものである。
【００２１】
切替器５は、負荷装置３又は実負荷１０のどちらか一方に選択的に接続するものであり、いわゆるダブルスロー（双投形開閉器）である。この切替器５によって、発電機２と負荷装置３又は実負荷１０のどちらか一方とが接続されるようになっている。
【００２２】
制御部６は、負荷装置３の負荷値を適宜変更させると共に、発電機２の発電出力が実負荷１０へ電力供給可能となる出力に達したときに切替器５を制御して発電機２の送電先を変更するものである。この制御部６は、図１に示すように、ＳＷ制御部６ａと、切替器制御部６ｂと、負荷値制御部６ｃとを有している。
【００２３】
ＳＷ制御部６ａは、発電機２の駆動スイッチ２ａのＯＮ／ＯＦＦ動作に伴って、遮断機４を開閉制御するものである。
【００２４】
このＳＷ制御部６ａは、駆動スイッチ２ａからＯＮ信号が入力されると、予め発電機２の特性に応じて設定された変動収束時間をカウントし、この変動収束時間経過後に遮断機４を閉じる閉信号を出力する。また、このＳＷ制御部６ａは、駆動スイッチ２ａからＯＦＦ信号が入力されると遮断機４を開く開信号を出力する。
【００２５】
切替器制御部６ｂは、発電機２の発電出力の変化に伴って、切替器５の接続先を変更させる変更制御をするものである。
【００２６】
この切替器制御部６ｂは、ＳＷ制御部６ａから遮断機４を開く開信号が入力されると切替器５を負荷装置３に接続する。また、この切替器制御部６ｂは、負荷値制御部６ｃから負荷装置３の負荷値を変更する変更信号が入力されると、この変更信号の入力から負荷装置３の負荷値の上昇が停止したと判断可能になるまでの予め設定された所定時間をカウントし、この所定時間経過後に切替器５を実負荷１０に接続する。
【００２７】
負荷値制御部６ｃは、負荷装置３の負荷値を任意の値に設定する負荷値制御を行うものである。
【００２８】
この負荷値制御部６ｃは、ＳＷ制御部６ａから遮断機４を開く開信号が入力されると、負荷装置３の負荷値を０に設定する。
【００２９】
また、この負荷値制御部６ｃは、ＳＷ制御部６ａから遮断機４を閉じる閉信号が入力されると、変動収束時間をカウントし、この変動収束時間経過後に負荷装置３の負荷値を、実負荷値の約３０％程度となる負荷値に設定する。また、このとき、負荷値制御部６ｃから切替器制御部６ｂに変更信号が出力される。
【００３０】
その後、この負荷値制御部６ｃは、さらに変動収束時間をカウントして負荷装置３の負荷値を、実負荷値の約５０％の負荷値に設定変更する。このとき、この負荷値制御部６ｃから切替器制御部６ｂに再び変更信号が出力される。
【００３１】
そして、この負荷値制御部６ｃは、再び変動収束時間をカウントして負荷装置３の負荷値を、実負荷値の約７０％の負荷値に設定変更する。このとき、負荷値制御部６ｃから切替器制御部６ｂにさらに変更信号が出力される。
【００３２】
このように、負荷装置３の負荷値は、負荷値制御部６ｃによって段階的に上昇することとなる。
【００３３】
なお、この実負荷値の約３０％程度の負荷値、５０％程度の負荷値、７０％程度の負荷値はそれぞれ予め任意に決められおり、この負荷値制御部６ｃに記憶されている。
【００３４】
次に、この発明の発電装置１の作用について説明する。
【００３５】
この発電装置１を使用するには、まず、実負荷接続ポート１ａを介して発電装置１と実負荷１０とを接続する。
【００３６】
また、このとき駆動スイッチ２ａはＯＦＦされているので、ＳＷ制御部６ａにはＯＦＦ信号が入力されており、これにより遮断機４は開く。一方、切替器制御部６ｂにもＯＦＦ信号が入力されているので、切替器５は負荷装置３に接続されている。
【００３７】
そして、この状態で駆動スイッチ２ａをＯＮし、発電機２を駆動する（図３におけるｔ１）。これにより、駆動スイッチ２ａからＳＷ制御部６ａへＯＮ信号が入力される。
【００３８】
ＯＮ信号が入力されたＳＷ制御部６ａは、発電機２の特性に応じて予め設定された変動収束時間をカウントし、この所定時間経過後に遮断機４を閉じる閉信号を出力する（図３におけるｔ２）。
【００３９】
ＳＷ制御部６ａから出力された閉信号は、遮断機４と負荷値制御部６ｃとにそれぞれ入力される。
【００４０】
閉信号が入力された遮断機４は閉じられ（ＯＮされ）、発電機２からの発電電力が流れるようになる。このとき、切替器５は負荷装置３に接続されているので、この発電電力は負荷装置３に供給されることとなる。
【００４１】
また、閉信号が入力された負荷値制御部６ｃは、予め設定されて記憶された変動収縮時間をカウントし始める。そして、この変動収縮時間経過後に、負荷値制御部６ｃは、負荷装置３の負荷値が実負荷値の約３０％程度となるように設定変更する第一変更信号を出力する。
【００４２】
そして、負荷値制御部６ｃから出力された第一変更信号は、負荷装置３と切替器制御部６ｂとに入力する。これにより、負荷装置３の負荷値は変更され（図３におけるｔ３）、切替器制御部６ｂは次の変更信号入力までの時間をカウントし始める。
【００４３】
負荷値制御部６ｃは、第一変更信号を出力すると、再び変動収縮時間をカウントし始める。そして、この変動収縮時間経過後に、負荷値制御部６ｃは、負荷装置３の負荷値が実負荷値の約５０％程度となるように設定変更する第二変更信号を出力する。
【００４４】
そして、負荷値制御部６ｃから出力された第二変更信号は、負荷装置３と切替器制御部６ｂとに入力する。これにより、負荷装置３の負荷値は変更され（図３におけるｔ４）、切替器制御部６ｂは次の変更信号入力までの時間を再びカウントし始める。
【００４５】
さらに、この負荷値制御部６ｃは、第二変更信号を出力すると、再び変動収縮時間をカウントし始め、この変動収縮時間経過後に、負荷装置３の負荷値が実負荷値の約７０％程度となるように設定変更する第三変更信号を出力する。
【００４６】
そして、負荷値制御部６ｃから出力された第三変更信号は、再び負荷装置３と切替器制御部６ｂとに入力する。これにより、負荷装置３の負荷値は変更され（図３におけるｔ５）、切替器制御部６ｂは次の変更信号入力までの時間を再びカウントし始める。
【００４７】
そして、切替器制御部６ｂに次の変更信号が入力されないまま所定時間経過すると、この切替器制御部６ｂは、負荷装置３の負荷値の上昇が停止したと判断する。これにより、切替器制御部６ｂは切替器５の接続先を変更し、この切替器５を実負荷１０に接続する。
【００４８】
このとき、切替器５はいわゆるダブルスローであるので、負荷装置３に供給されていた発電電力は、切替器５を切替えると同時に実負荷１０に供給されることとなる（図３におけるｔ６）。
【００４９】
このように、発電機２は、次第に負荷値が変更される負荷装置３に発電電力を供給することで、発電出力を徐々に増大することができる。
【００５０】
そして、負荷装置３の負荷値が実負荷値の約７０％程度になり、発電機２の発電出力が実負荷１０へ電力供給可能となる出力に達したとき、発電機２からの送電先を切り替えて実負荷１０に発電電力を供給している。そのため、実負荷１０に発電電力を供給する際に生じる発電出力の上昇を抑制することができる。そして、発電出力が急激に上昇することがなくなり、実負荷値の増加に発電出力を十分追従させることができる。
【００５１】
これにより、原動機の回転速度が瞬間的に大きく低下することを防止し、定格出力と同程度の負荷値の実負荷１０に発電電力を供給しても、発電機２が急速に停止することを防止することができる。
【００５２】
また、上述の実負荷値は、発電機２の定格出力とほぼ同程度となっているため、発電機２の定格出力をほぼ１００％活用することができる。これにより、従来の発電機のように実負荷に供給する電力よりも大きい電力を供給することができる発電機を使用する必要がなくなる。そして、発電機２のコストや設置スペース等を減少することができる。
【００５３】
さらに、発電機２を燃費が良好な定格出力に近い発電出力で使用することができるので、効率よく発電することが可能となる。
【００５４】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００５５】
例えば、上述の回路切替手段としての切替器５はいわゆるダブルスローであるが、図４に示す発電装置２０の切替器２１のようであってもよい。
【００５６】
この切替器２１は、発電機２と負荷装置３とを接続する回路を開閉する第一開閉器２２と、発電機２と実負荷１０とを接続する回路を開閉する第二開閉器２３とを有している。
【００５７】
この第一、第二開閉器２２，２３は、図示しないシーケンスによって制御されており、一方が開くとほぼ同時に他方が閉じるようになっている。なお、この「ほぼ同時」とは、開閉のタイミングのずれが発電機２の運転に支障を生じない程度に小さいことをいう。
【００５８】
また、上述の実施の形態では、負荷装置３の負荷値が、実負荷値の３０％程度、５０％程度、７０％程度となるように段階的に設定変更されているが、実負荷値の５０％程度の負荷値から実負荷１０に接続してもよい。
【００５９】
そして、設定変更される負荷装置３の負荷値の程度は、適宜決定されるものであり、段階的に変更されてもよいし、無段階に変更されてもよい。
【００６０】
さらに、上述の実施の形態では、定格電圧を発生できるようになるまでの一定時間Ｔである変動収束時間を予め設定しておき、この変動収束時間をカウントして変更信号等を出力しているが、発電機２の発電周波数をそのつど監視してもよい。
【００６１】
これにより、発電周波数の変動を確実に把握できるので、発電機２の発電出力の急激な上昇を確実に防止することができる。
【００６２】
さらに、この変動収束時間内であっても、発電周波数が上昇過程にあって且つこの発電周波数が定格周波数とほぼ一致したとき（図２におけるＰ点）等に、変更信号等を出力してもよい。
【００６３】
このようにすることで、発電周波数の変動の収束を待たずに負荷装置３の負荷値を変更する等できる。そのため、変動収束時間に関わらず変更信号等を短時間で出力することができ、実負荷１０への電力供給を短時間に行うことが可能となる。
【００６４】
また、切替器５、２１の切替や負荷装置３の負荷値の変更は、自動制御によって行ってもよいし、使用者が発電周波数の変動をメータ等によって監視して手動で切替えてもよい。
【００６５】
そして、上述の負荷装置３は、発電機２の発電出力を徐々に上昇させるために使用するだけでなく、発電機２の発電出力を試験する際の負荷試験装置として使用することもできる。
【００６６】
さらに、発電機２の駆動スイッチ２ａに遠隔操作装置を取り付け、発電機２の運転を遠隔地から操作してもよい。なお、この遠隔操作装置は、ＰＨＳ等の電話回線を使用して操作するもの等である。
【図面の簡単な説明】
【００６７】
【図１】本発明の実施の形態に係る発電電力供給装置のブロック図である。
【図２】発電機の発電出力と発電周波数との関係を示す説明図である。
【図３】本発明の発電電力供給装置の動作手順を示す説明図である。
【図４】本発明の発電電力供給装置の他の例のブロック図である。
【符号の説明】
【００６８】
２        発電機
３        負荷装置
５        切替器（回路切替手段）
１０      実負荷
【図１】
2006166551.tif 000003
【図２】
2006166551.tif 000004
【図３】
2006166551.tif 000005
【図４】
2006166551.tif 000006